(57)【要約】【課題】剛性やコンパクト性、あるいは配線作業性に優れた住宅用分電盤を提供する。【解決手段】住宅用分電盤１は、電線６０が接続される電線接続部１６ｂを有する分岐ブレーカ１６と、分岐ブレーカ１６が装着される基台２と、を備えている。基台２は、開口部を有する枠状である。基台２における、装着された分岐ブレーカ１６の電線接続部１６ｂの側の部分は、棒状部２ｃ，２ｄとなっている。棒状部２ｃ，２ｄは、電線接続部１６ｂの側において、傾斜面６ａ，６ｂを備えている。【選択図】図６
2019054591.tif 000002
【特許請求の範囲】
【請求項１】
電線が接続される電線接続部を有する分岐ブレーカと、
前記分岐ブレーカが装着される基台と、
を備えており、
前記基台は、開口部を有する枠状であり、
前記基台における、装着された前記分岐ブレーカの前記電線接続部の側の部分は、棒状部となっており、
前記棒状部は、前記電線接続部の側において、傾斜面を備えている
ことを特徴とする住宅用分電盤。
【請求項２】
前記基台を覆うカバーを備えており、
前記基台は、前記カバーを位置決めする位置決めリブを有しており、
前記傾斜面の端部は、前記位置決めリブに隣接している
ことを特徴とする請求項１に記載の住宅用分電盤。
【発明の詳細な説明】
【技術分野】
【０００１】
本発明は、配電機器を組み付ける基台を有する住宅用分電盤に関する。
【背景技術】
【０００２】
主幹ブレーカや分岐ブレーカ等の配電機器を組み付ける基台（下箱）、及びその開口を塞ぐカバー（上箱）を有する分電盤として、特開平６−３１５２０９号公報（特許文献１）に記載のものが知られている。
この分電盤では、基台の側板における底板近傍に形成されており壁材へ嵌合する嵌合部の一辺に、底板に連設された基端から先端に向かって上向傾斜状に形成される入線部を有している。基台内には、その入線部に配置された複数の入線室を介して、電線導体が導入される。
【先行技術文献】
【特許文献】
【０００３】
【特許文献１】特開平６−３１５２０９号公報
【発明の概要】
【発明が解決しようとする課題】
【０００４】
上述の分電盤では、入線部や入線室が箱状の基台の一面に形成されているため、剛性の確保に限界があるし、入線部が上向傾斜状に形成されているため、その分基台外面が外方に張り出すこととなり、コンパクト性の確保に限界がある。
又、入線室が箱状の基台の側板に形成されているため、電線導体の方向や配置等が限定され、電線導体の作業性に更なる向上の余地がある。
特に、近時、分岐ブレーカが薄型化しており（いわゆるブレードブレーカ）、配線の作業性の更なる良好化が望まれている。
本発明の主な目的は、剛性やコンパクト性、あるいは配線作業性に優れた住宅用分電盤を提供することである。
【課題を解決するための手段】
【０００５】
上記目的を達成するために、請求項１に記載の発明は、電線が接続される電線接続部を有する分岐ブレーカと、前記分岐ブレーカが装着される基台と、を備えており、前記基台は、開口部を有する枠状であり、前記基台における、装着された前記分岐ブレーカの前記電線接続部の側の部分は、棒状部となっており、前記棒状部は、前記電線接続部の側において、傾斜面を備えていることを特徴とするものである。
請求項２に記載の発明は、上記発明において、前記基台を覆うカバーを備えており、前記基台は、前記カバーを位置決めする位置決めリブを有しており、前記傾斜面の端部は、前記位置決めリブに隣接していることを特徴とするものである。
【発明の効果】
【０００６】
本発明の主な効果は、剛性やコンパクト性、あるいは配線作業性に優れた住宅用分電盤が提供されることである。
【図面の簡単な説明】
【０００７】
【図１】本発明に係る住宅用分電盤の開扉斜視図である。
【図２】図１の前面図である。
【図３】図１のＡ−Ａ線断面図である。
【図４】図１の住宅用分電盤に係る基台及びこれに装着され配線された分岐ブレーカの斜視図である。
【図５】図４から分岐ブレーカないし電線を外した状態の斜視図である。
【図６】図５から配線保持部材を外した状態の斜視図である。
【図７】図４の配線保持部材の斜視図である。
【図８】図４の配線保持部材に係る取付前の（ａ）上面図，（ｂ）（ａ）のＢ−Ｂ線断面図，（ｃ）前面図，（ｄ）後面図，（ｅ）右側面図である。
【発明を実施するための形態】
【０００８】
以下、本発明に係る実施の形態やその変更例が、適宜図面に基づいて説明される。尚、本発明は、下記の実施の形態や変更例に限定されない。
【０００９】
図１は、本発明に係る住宅用分電盤１の開扉斜視図であり、図２は、住宅用分電盤１の開扉前面図であり、図３は、図２のＡ−Ａ線断面図である。
住宅用分電盤１は、壁面に設置される基台２と、基台２の前側を覆うカバー４と、を備えている。
【００１０】
図４〜図６にも示される基台２は、矩形の枠であり、中央向かってやや左に、上下方向の柱状部２ａが一体で形成されていて、左の開口部と、これより大きい右の開口部とを有している。
基台２の前面には、他の部分より前方に突出する位置決めリブ２ｂが、複数設けられている。
基台２における左の開口部の下部に位置して左右に延びる棒状の左下棒状部２ｃは、後から前に掛けて下がる前下がりの傾斜面６ａを有している。傾斜面６ａは、平面であり、左下棒状部２ｃの左上部に配置され、左の開口部の内側部分に配置されている。傾斜面６ａの前辺は、隣接する位置決めリブ２ｂの上側に位置している。
又、基台２における右の開口部の下部に位置して左右に延びる棒状の右下棒状部２ｄは、後から前に掛けて下がる前下がりの傾斜面６ｂを有している。傾斜面６ｂは、平面であり、右下棒状部２ｄの上部に配置され、右の開口部の内側部分に配置されている。傾斜面６ｂの端部である前辺は、位置決めリブ２ｂの上側に位置しており、位置決めリブ２ｂに隣接している。
【００１１】
基台２の前側には、板状の架台８が取り付けられる。基台２に取り付けられた架台８は、左右の開口部の大部分を覆う。
架台８は、配電機器としての、主幹ブレーカ装着部１０と、複数の分岐ブレーカ装着部１２と、を備えている。主幹ブレーカ装着部１０には、主幹ブレーカ１４が装着され、分岐ブレーカ装着部１２には、分岐ブレーカ１６が装着される。尚、図４では、分岐ブレーカ１６が２個装着されているところ、分岐ブレーカ１６は、必要に応じ、１個のみ装着されても良いし、３個以上装着されても良い。図１，図２では、多数の分岐ブレーカ１６が装着されている。
基台２には、架台８を介して、配電機器が装着される。
【００１２】
カバー４は、基台２ないしは配電機器付きの架台８の一部を覆う箱状のカバー枠２０と、その前側に開閉自在に設けられる扉２２と、を有する。カバー４及び基台２、あるいはこれらと架台８とは、住宅用分電盤ケースを構成する。
カバー枠２０の窓２０ａから、主幹ブレーカ１４の操作部１４ａが露出しており、他の窓２０ｂから、複数の分岐ブレーカ１６の各操作部１６ａが露出している。
扉２２は、上部の左右に設けられた蝶番２４によって、上辺の周りでカバー枠２０に対し開閉自在とされている。
カバー４は、基台２の位置決めリブ２ｂにより、位置決めされる。即ち、後方に開放した箱状のカバー枠２０における上板部の後端部や下板部の後端部、左板部の後端部や右板部の後端部が、基台２の前面の上下左右に配置された位置決めリブ２ｂに接触する。各位置決めリブ２ｂは、カバー枠２０の後開口部の内側に位置する。
【００１３】
基台２の右下棒状部２ｄの傾斜面６ｂには、合成樹脂製の配線保持部材３０が設けられる。尚、図３，図６では、配線保持部材３０は取り外されている。
図７，図８にも示される配線保持部材３０は、左右に延びるベース部３２と、ベース部３２の下面から下方へ突出する突体３４と、ベース部３２の上面前部から上方に突出する複数の前配線受け部３６と、ベース部３２の上面後部から上方に突出する複数の後配線受け部３８と、を有している。
配線保持部材３０は、各突体３４に対応するように傾斜面６ｂに設けられた被係止孔３９（図６参照）に、対応する突体３４が入ることで、傾斜面６ｂに係止される。傾斜面６ｂには、ベース部３２の下面が接する。
【００１４】
複数の前配線受け部３６は、左右に並べられている。
各前配線受け部３６は、断面Ｔ字状の台部４０と、台部４０の上面右部から上方及び左方に倒Ｌ字状に突出した開閉部としての開閉爪部４２と、台部４０の上面左部から上方に突出した爪受け部４４と、を有する。
開閉爪部４２は、左の先端部において、下方に断面Ｕ字状に折れ曲がる爪部４２ａを有している。又、開閉爪部４２のコーナー部は、他の部分より薄く形成されており、開閉爪部４２は、そのコーナー部を中心として、左右に延びる部分が水平姿勢から左上がりの姿勢まで移動可能である。
爪受け部４４は、開閉爪部４２の爪部４２ａを受け入れる。爪部４２ａは鉤を有しており、爪受け部４４はその鉤が掛かる段部を有している。爪受け部４４に爪部４２ａが入ると、開閉爪部４２は水平姿勢となり、爪受け部４４や台部４０と共にリング状となる（閉状態）。又、開閉爪部４２の先端が右に押されて上述の鉤が段部から外された状態で、開閉爪部４２が上方に引かれると、開閉爪部４２の左右に延びる部分は爪受け部４４から離れてＧ字状となる（開状態，図５参照）。
【００１５】
他方、複数の後配線受け部３８は、前配線受け部３６の後において、左右に並べられている。２個の前配線受け部３６の間に、１個の後配線受け部３８が配置され、即ち前配線受け部３６と後配線受け部３８とは、左右方向において互い違いに配置される。又、前配線受け部３６と後配線受け部３８とは、同数設けられる。
各後配線受け部３８は、台部４０がなく、開閉爪部５２及び爪受け部５４がベース部３２上面から上方に突出していることを除き、前配線受け部３６と同様に形成される。開閉爪部５２は、先端部に、爪部５２ａを備えている。
【００１６】
図４に示されるように、架台８に装着された分岐ブレーカ１６の下面に形成された電線接続部１６ｂに、複数の電線６０が接続される。
各電線６０は、基台２の上部後方から下方に向かい、架台８の下側を通って上方にＵ字状にターンして電線接続部１６ｂに達するように配線される。各電線６０は、分岐ブレーカ１６の交換等を考慮して、長さに余裕を持たせた状態で配線される。
基台２の右下棒状部２ｄは、電線接続部１６ｂ側において、電線接続部１６ｂに対して退くような傾斜面６ｂを有するため、傾斜面６ｂがなく四角柱状である場合に比べ、電線６０を通し易い。傾斜面６ｂは前下がりであり、電線６０のターン部に沿っていて、電線６０の配線が行い易い。傾斜面６ｂの前辺（下辺）は、位置決めリブ２ｂの上側に達しており、位置決めリブ２ｂのカバー４を位置決めする機能を損なわない状態で、最大限傾斜して配線し易いものとなっている。
【００１７】
又、電線６０は、対応する前配線受け部３６や後配線受け部３８、即ち接続先の分岐ブレーカ１６の下方に位置する前配線受け部３６や後配線受け部３８に通すことができる。
即ち、前配線受け部３６や後配線受け部３８が開状態とされた後で、電線６０が通され、そして前配線受け部３６や後配線受け部３８が閉状態とされると、前配線受け部３６や後配線受け部３８内で電線６０が保持され、配線の前配線受け部３６外や後配線受け部３８外への移動が防止される。よって、配線が接続先の分岐ブレーカ１６の下側という適切な位置に保持され、電線６０の接続が確実に維持されるし、他の分岐ブレーカ１６の配線時に既設の配線が邪魔にならない。
他方、前配線受け部３６や後配線受け部３８が閉状態から開状態とされれば、配線作業者は、前配線受け部３６や後配線受け部３８に保持された電線６０を外すことができる。
【００１８】
又、架台８における主幹ブレーカ装着部１０より向かって左の分岐ブレーカ装着部１２に装着される分岐ブレーカ１６について、左下棒状部２ｃにおける傾斜面６ａの形成により、右下棒状部２ｄの傾斜面６ｂの場合と同様に、配線が行い易い。
更に、配線保持部材３０と長さや各配線受け部の数を除いて同様に成る配線保持部材（図示略）が傾斜面６ａに係止されるようにすれば、左の分岐ブレーカ装着部１２に装着される分岐ブレーカ１６について、配線が保持されるようになる。
【００１９】
かような住宅用分電盤１は、電線６０が接続される電線接続部１６ｂを有する分岐ブレーカ１６と、分岐ブレーカ１６が装着される基台２と、を備えており、基台２は、開口部を有する枠状であり、基台２における、装着された分岐ブレーカ１６の電線接続部１６ｂの側の部分は、棒状部２ｃ，２ｄとなっており、棒状部２ｃ，２ｄは、電線接続部１６ｂの側において、傾斜面６ａ，６ｂを備えている。よって、板状ではなく外方に張り出さない棒状部２ｃ，２ｄにより、剛性やコンパクト性が確保されつつ、電線接続部１６ｂ側の傾斜面６ａ，６ｂにより、電線６０のためのスペースが確保され、配線作業性が極めて良好になる。
又、住宅用分電盤１は、基台２を覆うカバー４を備えており、基台２は、カバー４を位置決めする位置決めリブ２ｂを有しており、傾斜面６ａ，６ｂの前辺は、位置決めリブ２ｂに隣接している。よって、住宅用分電盤１では、カバー４の位置決めが行えながら、可及的に大きな電線６０用のスペースが確保される。
【００２０】
尚、住宅用分電盤１は、適宜次のような変更例を有する。
即ち、傾斜面の配置は、左下棒状部の全体にわたるようにされたり、右下棒状部の一部にわたるようにされたり、右下棒状部において複数に分かれた状態とされたりしても良い。傾斜面は、曲面であっても良いし、曲面と平面とを含んでいても良いし、複数設けられる場合に互いに異なる傾斜角ないし形状とされても良い。
配線保持部材は、一箇所の傾斜面に複数設けられても良いし、傾斜面の一部のみに設けられても良いし、傾斜面以外に設けられても良い。配線保持部材の基台への係止は、配線保持部材に設けられた突体の、基台に設けられた被係止孔への係止に限られず、基台に設けられた突体や受け部（係止部）の、配線保持部材（に設けられた被係止孔，被係止部）への係止等であっても良い。配線保持部材の材質は、合成樹脂以外であっても良い。
分岐ブレーカの電線接続部が上になるように装着される場合には、傾斜面や配線保持部材は、基台の上側の棒状部に設けられても良い。
前配線受け部及び後配線受け部は、同数でなくても良い。配線受け部は、前後２列ではなく、１列であるいは３列以上で並べられても良い。配線受け部の開閉爪部の爪部及び爪受け部は、ピン及びピン受け部等の他の係止部及び被係止部とされても良い。
【符号の説明】
【００２１】
１・・住宅用分電盤、２・・基台、２ｂ・・位置決めリブ、２ｃ，２ｄ・・棒状部、４・・カバー、６ａ，６ｂ・・傾斜面、１２・・分岐ブレーカ装着部、１６・・分岐ブレーカ、１６ｂ・・電線接続部、６０・・電線。
【図１】
2019054591.tif 000003
【図２】
2019054591.tif 000004
【図３】
2019054591.tif 000005
【図４】
2019054591.tif 000006
【図５】
2019054591.tif 000007
【図６】
2019054591.tif 000008
【図７】
2019054591.tif 000009
【図８】
2019054591.tif 000010